(57)【特許請求の範囲】
【請求項１】
爪の表面にベースジェル、カラージェル、トップジェルが順次塗布されたジェルネイルのうち、前記べースジェルを残すように前記トップジェル及び前記カラージェルを除去する工程と、
前記ベースジェルにジェル溶解剤を塗布した後、前記ベースジェルにキューティクルリムーバーを塗布する工程と、
前記爪の表面に残留する前記べースジェルを前記爪の表面に対して所定の角度でプッシャーの先端を当てて除去する工程と、
を含むジェルネイル施術方法。
【請求項２】
前記爪の表面に前記キューティクルリムーバーを塗布し、前記爪を所定の温度のお湯に所定の時間浸す工程と、
前記爪の表面の水分を拭き取る工程と、
前記キューティクルリムーバーで前記爪の表面全体が湿っている状態を保ちながら前記爪の表面全体の薄皮（角質を含む。）をプッシャーで除去する工程と、
前記爪の表面に前記ジェルネイルを塗布する工程と、
をさらに含む請求項１に記載のジェルネイル施術方法。
【発明の詳細な説明】
【技術分野】
【０００１】
本発明は、ジェルネイル施術方法に関する。
【背景技術】
【０００２】
従来、ネイルサロン等ではジェルネイルを除去するのに、爪の大きさに切断したコットンにジェル溶解剤を染み込ませて爪の上に置き、その上をアルミホイルや食品用ラップなどで覆い、ジェル溶解剤によりジェルネイルを軟化させ、軟化したジェルネイルをメタルプッシャー又はウォッシャブルファイルで削り落としている。
【０００３】
アルミホイルでは、ジェルネイルへの密着性が悪く、外部から確認できず、食品用ラップでは、ジェル溶解剤が気化し易いためにジェルネイルが軟化し難いという欠点がある。
【０００４】
そのような欠点を解消するために、ジェルネイルを簡易に落とすジェルネイルの簡易落とし方法が提案されている（例えば、特許文献１参照）。
【０００５】
特許文献１に記載のジェルネイルの簡易落とし方法は、適宜な幅と長さを有するテープ本体の片面の両端部に粘着材を設け、テープ本体の中央にコットン等の保水部材を設けたテープを用意し、保水部材にジェル溶解剤を染み込ませ、保水部材がジェルネイルに位置するようにテープ本体を指に巻き付けてテープ本体の両端の粘着材で固定するというものである。
【先行技術文献】
【特許文献】
【０００６】
【特許文献１】特開２０１１−３６４５７号公報
【発明の概要】
【発明が解決しようとする課題】
【０００７】
しかし、従来のジェルネイルの簡易落とし方法によりジェルネイルを軟化させても、その後のメタルプッシャー又はウォッシャブルファイルを用いて残留するジェルネイルを削り落とす作業のときにジェルネイルを簡単に落とすことができないために爪の表層（背爪）を削ってしまい、施術を受ける人が痛がる場合がある。また、爪の表層（背爪）がなくなると、ジェルネイルが付着し難くなり、ジェルネイルの持ち時間が短くなる。
【０００８】
したがって、本発明の目的は、施術を受ける人に痛みをほとんど与えることなくジェルネイルを落すことができ、本施術方法を採用しない場合と比べてジェルネイルを長持ちさせることができるジェルネイル施術方法を提供することにある。
【課題を解決するための手段】
【０００９】
［１］爪の表面にベースジェル、カラージェル、トップジェルが順次塗布されたジェルネイルのうち、前記べースジェルを残すように前記トップジェル及び前記カラージェルを除去する工程と、前記ベースジェルにジェル溶解剤を塗布した後、前記ベースジェルにキューティクルリムーバーを塗布する工程と、前記爪の表面に残留する前記べースジェルを前記爪の表面に対して所定の角度でプッシャーの先端を当てて除去する工程と、を含むジェルネイル施術方法。
［２］前記爪の表面に前記キューティクルリムーバーを塗布し、前記爪を所定の温度のお湯に所定の時間浸す工程と、前記爪の表面の水分を拭き取る工程と、前記キューティクルリムーバーで前記爪の表面全体が湿っている状態を保ちながら前記爪の表面全体の薄皮（角質を含む。）をプッシャーで除去する工程と、前記爪の表面に前記ジェルネイルを塗布する工程と、をさらに含む前記［１］に記載のジェルネイル施術方法。
【発明の効果】
【００１０】
本発明によれば、施術を受ける人に痛みをほとんど与えることなくジェルネイルを落すことができ、本施術方法を採用しない場合と比べてジェルネイルを長持ちさせることができる。
【図面の簡単な説明】
【００１１】
【図１】図１は、指の爪にジェルネイルを塗布した状態を模式的に示す断面図である。
【図２】図２は、ジェルネイルを除去する様子を示す断面図である。
【図３】図３は、ジェルネイルの塗布前の準備の様子を示す断面図である。
【図４】図４は、ジェルネイルの塗布前の準備の様子を示す側面図である。
【図５】図５は、トップジェルを塗布する様子を示す断面図である。
【発明を実施するための形態】
【００１２】
以下、本発明の実施の形態について図面を参照して説明する。なお、各図中、実質的に同一の機能を有する構成要素については、同一の符号を付してその重複した説明を省略する。
【００１３】
図１は、手の指の爪にジェルネイルを塗布した状態を模式的に示す断面図である。手の指１の爪２の構造は、指１の側から順に腹爪２１、中爪２２、背爪２３の三層構造になっている。爪２の根元には、後述する図２、図３に示すようにキューティクル２４がある。腹爪２１及び背爪２３は、ケラチンが縦方向（指の長手方向）に連なり、中爪２２は、腹爪２１及び背爪２３よりも厚くケラチンが横方向に連なっている。ジェルネイル３は、背爪２３の表面に塗布される。
【００１４】
ジェルネイル３は、一般に、背爪２３に塗布されるベースジェル３１、ベースジェル３１の上に塗布されるカラージェル３２、カラージェル３２の上に塗布されるトップジェル３３から構成されている。カラージェル３２を塗布する際にデザインを施す。
【００１５】
次に、ジェルネイル３を除去してから新たにジェルネイル３を塗布するまでの施術方法を、図２〜図５を参照して説明する。図２は、ジェルネイル３を除去する様子を示す断面図である。図３は、ジェルネイル３の塗布前の準備の様子を示す断面図である。図４は、ジェルネイル３の塗布前の準備の様子を示す側面である。図５は、トップジェル３３を塗布する様子を示す断面図である。
【００１６】
（１）ジェルネイルの除去（オフ）
以下の順序でジェルネイル３を除去する。
【００１７】
（ａ）爪２の先端を、希望する長さよりすこし長めにカットする。
【００１８】
（ｂ）塗布されているジェルネイル３の表面を、カラージェル３２がほとんどなくなるまで、ネイルマシンのゴールドビットなど（速度は推奨速度で）、又はウォッシャブルファイルで削り落とす。次に、ジェル溶解剤を染み込ませたコットンを、ジェル溶解剤が皮膚に付着しないように爪の大きさに合わせて装着していく（指１〜２本ずつ）。このとき、例えばコットンをアルミ箔で指に巻き付ける。
【００１９】
（ｃ）上記（ｂ）の作業を指１が１０本終わるまで繰り返す。
【００２０】
（ｄ）最初の１本目に戻り、爪２の表面にハケ等でキューティクルリムーバー５を塗布した後、図２に示すように、金属製のメタルプッシャー（キューティクルプッシャーともいう。）４でジェルネイル３（主にベースジェル３１）を取り除いていく。最初はジェルネイル３が剥がれかけている部分から爪２の根元に向かって、力を入れずに行う。ジェルネイル３を取り除くときのメタルプッシャー４の角度θ１は、２０〜３０°位が好ましい。メタルプッシャー４は力が入りすぎないように親指と中指で支えるのが好ましい。
【００２１】
キューティクルリムーバー５は、ジェルネイル３を爪２から浮かす作用があり、またメタルプッシャー４に対しては潤滑剤となるため、僅かな力で、ジェルネイル３を剥がしやすくなることから、ジェルネイルの除去工程で重要な役割を果たす。
【００２２】
キューティクルリムーバー５は、市販のものを用いることができる。このキューティクルリムーバー５の成分は、水、液状ラノリン、水酸化カリウム、カラーギーナンを含む。液状ラノリンは、羊の毛の油脂（ラノリン）を液状にしたものであり、ジェルネイル３を爪２から浮かす作用があり、皮膚への浸透性、保湿性、潤滑性に優れている。水酸化カリウムは、皮膚表皮を軟化させる作用を有する。カラーギーナンは、紅藻類の海藻から抽出して得られる多糖類で、流動性のある粘性を持ち、弾力のある弱いゲルを形成する。キューティクルリムーバー５は、本来はキューティクル２４を軟らかくするものであるが、ジェルネイル３を爪２から浮かす作用があることを本発明者は発見し、この発見に基づいてジェルネイル３の除去に使用することにしたものである。
【００２３】
従来、このジェルネイルの除去工程では、キューティクルリムーバー５を用いることはなく、そのままメタルプッシャー４やウォッシャブルファイルで削り落としていたため、爪２の表層（例えば背爪２３及び中爪２２）が削れて施術を受ける人が痛みを感じたりしていた。本施術方法によれば、爪２の表層を削る必要がほとんどなくなり、施術を受ける人に痛みをほとんど与えることがなくなる。
【００２４】
（ｅ）１０本すべてジェルネイル３を取り除き、爪２の表面にまだジェルネイル３が残っている場合は、ネイルマシンのオーバルカーバイトで（回転速度５０００ｒｐｍ程度）、そのジェルネイル３を撫でるように剥がしていく。このとき決して爪２を傷めないように注意する。次に、爪２の形をエメリーボードなどで整える。
【００２５】
（２）ジェルネイルの塗布前の準備（プレパレーション）
以下の順序でジェルネイルの塗布前の準備を行う。
【００２６】
（ａ）爪２の根元にキューティクルリムーバー５を塗布し、片手を２〜４分間お湯（温度３５〜４０°）の中に浸す。
【００２７】
（ｂ）ガーゼタオルなどで爪２の表面の水分を拭き取る。そしてキューティクルリムーバー５で爪２の表面全体が湿っている状態を保ちながら、メタルプッシャー４で爪２の表面の薄皮（角質全般）を押し上げていく。
（ｉ）まず、爪２の根元の硬いキューティクル２４を４５°の角度でゆっくりと押し上げラインをとる。硬く押し上げにくい場合は、キューティクル２４と爪２との境目にメタルプッシャー４を９０°に当て、ゆっくりと押し上がる限度を確認しながら行う。
（ii）その後、図３に示すように、爪２の根元から爪２全体の１／３〜１／２の範囲を、メタルプッシャー４で角度θ２は２０〜３０°で撫でるように、爪２の表面の薄皮を根元に向かって押し上げていく。この動作を１〜２往復行う。
（iii）メタルプッシャー４の反対側の細い部分（スクエア型）を使い、図４に示すように、キューティクルラインから内側１〜１．５ｍｍの範囲にある薄皮（角質全般）を押し上げていく。このときのメタルプッシャー４の角度は４５°とする。爪の左右ストレスポイント６〜ストレスポイント６をつなげるように動かす。もう片方の手を、同様に爪２の根元にキューティクルリムーバー５を塗布し、お湯に浸しておく。
【００２８】
（ｃ）両手とも上記（ｂ）の工程が終わった後、ネイルマシンのピンクビットを１０本の爪２のキューティクルラインに沿って通していく。このときの速度角度はメーカー推奨で行う。
【００２９】
（ｄ）スポンジバッファー１８０Ｇで爪２の表面を整えていく。整える方向は縦方向とする。爪２の先の断面もしっかりサンディングされるように、爪２先は下に落とすようにかける。爪２の表面は上記（ｃ）までの工程で傷が入りやすいようになっているので、爪２表面が曇ればよい。
【００３０】
（ｅ）キューティクル２４周りに残った甘皮・薄皮・小爪をキューティクルニッパーで取り除いていく。
【００３１】
（ｆ）ネイルブラシで爪２全体のダストなどをはらう。
【００３２】
（ｇ）爪２をガーゼ（毛羽立たない不織布）にプレプライマーを染み込ませたものでふき取る。このとき、キューティクル２４のポケットや爪の裏側にもダストがあるのでしっかりと取り除く。
【００３３】
なお、ジェルネイル３を塗装せずにジェルネイル３のオフのみの場合は、キューティクルリムーバー５ではなく、キューティクルクリームを使用する。最後に両手が終わった後必要であれば、スポンジバッファーの２８０Ｇ程度で表面を撫でるようなタッチで整えたりシャイナーで磨いてもよい。
【００３４】
（３）ベースジェルの塗布
以下の順序でベースジェル３１を塗布する。
（ａ）爪２の表面にハケでプレプライマーを塗布する。
（ｂ）ベースジェル３１を筆先に少量取り、爪先から根元までこすりつけるように塗る。このときジェルネイル３がかすれるくらい少なくてもよい。
（ｃ）規定量のベースジェル３１を筆先に取り、爪先から根元まで全体に塗り、片手づつ硬化させる。硬化には、例えばＬＥＤ（発光ダイオード）ライト、ＵＶ（紫外線）ライト、ＣＣＦＬ（冷陰極蛍光灯）ライト等のベースジェル３１に応じたライトを用いる。
【００３５】
（４）カラージェルの塗布
硬化したベースジェル３１の上にカラージェル３２を塗布してデザインする。
【００３６】
（５）トップジェルの塗布
以下の順序でトップジェル３３を塗布する。
（ａ）トップジェル３３は長さだしができるソフトジェルを使う。たっぷりと筆先に取ったトップジェル（規定量の１．５倍ほど）を塗る。
（ｂ）図５に示すように爪５の先の端面に、ジェルネイル３で長さを足すような要領でトップジェル３３を乗せていく。このとき、トップジェル３３が爪２の裏側に回り込まないように注意する。
（ｃ）爪２の表面が滑らかなアーモンド状のアーチを描いているか確認し硬化する。
このトップジェル３３の塗布工程では、ジェルネイル３が皮膚に付かないように、２本ずつジェルネイル３を硬化させるのが好ましい。
【００３７】
（６）１０本硬化した後、未硬化ジェルを拭き取る。
【００３８】
（７）キューティクルオイルで仕上げに保湿をする。
【００３９】
（本実施の形態と従来例の施術方法との差）
表１は１０人の被験者に対して痛みの有無のヒアリング結果を示すものである。従来例はジェルネイル３の除去工程でキューティクルリムーバー５を使用せずにメタルプッシャー４で爪２の表面に残留するジェルネイル３を除去したものである。
【００４０】
【表１】
0006505588.tif 000002
【００４１】
表１に示すように、本実施の形態の施術方法によれば、１０人中痛みを感じた人は誰もいなかったのに対し、従来例の施術方法だと１０人中９人が痛みを感じていた。
【００４２】
表２は、３人の被験者に対するジェルネイル３の持ち時間のヒアリング結果を示すものである。持ち時間は、ジェルネイル３を爪２に塗布してからジェルネイル３の一部が剥がれるまでの時間とする。
【表２】
0006505588.tif 000003
【００４３】
表２に示すように、従来の施術方法だとジェルネイル３の持ち時間が１週間と短かったのに対し、本実施の形態の施術方法によれば、ジェルネイル３の持ち時間が２週間から４週間と従来の施術方法の２倍以上の長さになっている。
【００４４】
（実施の形態の作用、効果）
本実施の形態によれば、以下の作用、効果を奏する。
（１）爪２の表面に塗布されたジェルネイル３のうちトップジェル３３及びカラージェル３２を除去した後、爪２の表面にキューティクルリムーバー５を塗布して、爪２の表面に残留するジェルネイル３を浮き上がらせ、爪２の表面に対して所定の角度でメタルプッシャー４の先端を当てて僅かな力で除去しているので、施術を受ける人に痛みをあまり与えることなく、ジェルネイル３を落とすことができる。
（２）ジェルネイル３の塗布前の準備工程で、キューティクルリムーバー５を塗布し、指をお湯に浸した後、爪２の表面の薄皮を除去した後に、ジェルネイル３の塗布を行っているので、ドライな状態と比べてジェルネイル３の長持ちさせることができる。
（３）ウォーターケアとドライケアの良さを融合した独自施術により、ウォーターケアとドライケアを別々に施術する場合と比べてジェルネイル３の施術時間を短縮することができる。
【００４５】
なお、本発明の実施の形態は、上記実施の形態に限定されず、種々な実施の形態が可能
である。例えば、上記実施の形態では、手の指の爪に対してジェルネイル施術方法を施す場合について説明したが、足の指の爪に対してジェルネイル施術方法を施してもよい。
【００４６】
また、本発明の要旨を変更しない範囲内で、上記実施の形態の工程において、工程の追加、削除、変更、入替え等が可能である。例えば、上記工程でメタルプッシャーを用いたが先端がシリコン製のプッシャーを用いてもよい。
【符号の説明】
【００４７】
１…指、２…爪、３…ジェルネイル、４…メタルプッシャー、
５…キューティクルリムーバー、６…ストレスポイント、２１…腹爪、
２２…中爪、２３…背爪、２４…キューティクル、３１…ベースジェル、
３２…カラージェル、３３…トップジェル、θ１、θ２…角度
【図１】
0006505588.tif 000004
【図２】
0006505588.tif 000005
【図３】
0006505588.tif 000006
【図４】
0006505588.tif 000007
【図５】
0006505588.tif 000008